(57)【要約】【課題】一般家庭に於ける衣類の洗濯作業全般に掛かる労力の内、洗濯作業自体は洗濯機の進化により大幅に改善されて来ている。しかし、洗濯物の乾燥領域は未だ改善を要する事項が多く、特に、天日乾燥作業域は、衣類のハンガー掛けと取り入れに関し対象となる衣類の性質の多様化と住居の高層化を含め居住環境の多様性に伴って多種多様の道具が市場提供されているが、総合的な多様性と機能性を持つ洗濯物ハンガーの市場提供が無い。【解決手段】  本特許に述べる衣類ハンガーの機能と構造により、衣類の性質と形状に損傷を与える事なく、且つ、ハンガー掛け作業の簡素化と装着に対する信頼性保障、並びに、ハンガー自体の懸架機能の信頼性と安定性の確保に加えて、乾燥した洗濯物の取り込み作業の簡素化と単純化による省力化を享受する機能を持つハンガーを提供する事で課題を解決するものである。【選択図】図１
2006247303.tif 000002
【特許請求の範囲】
【請求項１】
ハンガーフック機構と、同機構の外部要因による当ハンガーの物干竿、並びに、懸架ロープからの逸脱防止機構、並びに、左右ハンガーアームの開閉機構と該ハンガーアームの異常閉鎖防止機構の、部分的機構構造部を含めた折返し機構構造を持たない直線状配置構成により形成する事を特徴とする衣類ハンガー。
【請求項２】
請求項１に述べるハンガーの閉鎖状態にあるハンガーアーム部分を衣類の襟首口より胴部内に挿入し、該作業を行う手を該衣類の襟首を含む衣類内部に挿入する事無く、外部よりのハンガーアームの展開と該ハンガーアーム展開状態の固定操作を行う事が出来る機構構造を有する衣類ハンガー。
【請求項３】
底辺を共有する辺の長さが異なる二つの二等辺三角形で形成する四辺形の四頂点を可動構造とし、直交する二つの対角線の長さを相対的に自由に変化し得る四辺形を構成し、その対称軸上の内角が鋭角から鈍角に連続的に変化し得る頂点を基点として各隣り合う頂点を通る辺を各々延長する構造体でハンガーアームを構成し、さらに、該両ハンガーアームの可動接続交点と対峙する該対称軸上の頂点にハンガーフック機構を具備させ、該対称軸上の二頂点間の距離の制御を行う事によるハンガーアームの開閉、並びに、所定の距離に固定保持する事によるハンガーアームの展開状態の維持と、ハンガーアーム開閉制御機構の誤動作に連動しハンガーフック閉鎖防止による衣類保持機能が動作する懸架装置を併備させたハンガーアーム開閉制御機構を具備する衣類ハンガー。
【請求項４】
人為的に、ハンガーフック開口部を上向きと成る条件にハンガーアームを保持する事によりハンガーアーム展開固定保持装置を解除する機能構造を具備する請求項１に述べる衣類ハンガー。
【請求項５】
ハンガーフック開口部を下向きと成る条件にハンガーアームを保持する事によりハンガーアーム展開固定保持装置を固定状態に維持できる機構構造を具備する請求項１に述べる衣類ハンガー。
【請求項６】
ハンガーアームに衣類を装着懸架し、物干竿、或いは、ロープに懸架した状態で、風圧、等、による該ハンガーアームの開閉制御機構に誤動作が生じた場合に於けるハンガーアームの展開固定状態の解除事故を防止し、更に、ハンガーフック自体の物干竿やロープからの離脱による落下事故を防止する機能構造を具備する請求項１に述べる衣類ハンガー。
【請求項７】
請求項３に述べる機構構造に換えて、平面状構造体の左右対称軸上の頂点に該ハンガーフック機構を装着し、左右のハンガーアームの開閉に伴って移動する該可動三頂点を摺動保持する移動軌跡形状を持つガイド孔、又は、溝を設けて該三頂点を保持し、該左右のハンガーアームが共有する可動頂点に、請求項２、請求項３、並びに請求項４に述べる機能を具備するハンガーアーム開閉制御機構を具備して構成する衣類ハンガー。
【発明の詳細な説明】
【技術分野】
【０００１】  本発明は、ハンガーアームの開閉とハンガーアーム展開維持装置、及び、該アーム展開に連動するハンガー自体を懸架した物干竿、や、ロープからの落下防止機能を具備する新しい機構構造を持つ衣類ハンガーに関する。
【背景技術】
【０００２】  一般的に衣類ハンガーの構造は、固定的な展開形状を持つハンガーアームとハンガーアームの中心部にハンガーフックを設けた形状であり、丸首やとっくり形
2006247303.tif 000003
洗濯物のハンガー掛けは、首周りが伸びない様衣類の下部胴口部分からのハンガー本体の挿入と、襟首部分からの該ハンガーフックの引き出し作業を必要とする。【０００３】  同様に、衣類をハンガーより取り外す場合に於いても前述の動作が要求されると共にハンガーフックの開放部先端による損傷から衣類を保護する注意力が要求され、これらが洗濯物のハンガー掛けと取入れ時の作業負担となっている。【０００４】  該問題点を解決する手段として、昨今、ループ形状のハンガーアームの両端とハンガーフック部分を蝶番機構で接続したハンガーのハンガーフック部を一方のハンガーアーム方向に倒し該ハンガーフック部と同ハンガーアームを掌で握り締めた状態に保持し、この拘束状態を維持する手首部を含む上腕部とハンガーアーム部分を共に襟首口より衣類の胴内部に挿入し、該衣類の胴内部で該拘束状態を解除し挿入している手によりハンガーフック部を襟首口より引き出し衣類を該ハンガーに装着する構造の製品が市販されている。【０００５】  しかし、この場合のハンガーフックとハンガーアームを握り締めた状態の外形寸法値は一般衣類の襟首開口部寸法値に対し過大、ないしは余裕が無く該襟首が伸びる事に対しての完全な解決策とはなっていない。【０００６】  又、左右に展開したハンガーアームの中心部に設けた該アームの展開維持装置とハンガー吊り下げフック機構を兼ね備え、完全に折り畳んだハンガーアームを衣類の襟首口から胴部分に挿入し、両ハンガーアームを衣類内で展開し、該ハンガーフックを衣類内部より襟首口で引き起しハンガーアームの展開を維持する機構のハンガーが市場供給されているが、衣類のハンガー掛けに伴うハンガーアーム部の展開時、並びに、該衣類の取り入れに伴うハンガーアーム折り畳み時に、ハンガーのフックを衣類の襟首口で操作する必要性を完全に排除するものではない。
【発明の開示】
【発明が解決しようとする課題】
【０００７】  本発明は、一般的な衣類への普遍的な適用性の維持のみならず、衣類の懸架と取込作業負担の飛躍的な改善を図る事を保障しようとするもので、以下の機能を満足する構造を持つ衣類ハンガーを提供しようとするものである。【０００８】  即ち、衣類自体の変形と損傷を防止する衣類ハンガー機能の保障、並びに、取込作業の簡素化と省力化の保障、及び、風圧等による懸架した衣類のハンガーからの脱落防止の保障に加えて、ハンガー自体の物干竿や同ロープからの離脱落下防止を保償するハンガー構造の具現化を図る必要がある。
【課題を解決する為の手段】
【０００９】  上記課題を解決する手段として、図１、図２、図３、に示す如く、辺の長さが異なる二つの二等辺三角形の底辺を共有させて構成する四辺形の各頂点を結ぶ対角線は互いに直交し、該短辺が構成する内角を鋭角から鈍角まで連続的に変化させる事を可能とすると共に、四頂点は直交する対角線上を移動する幾何学上の原理を活用し、使用者の意思に基づくハンガーアームの自由な開閉操作、並びに、衣類懸架時のハンガーアームの安定した展伸保持機能、及び、ハンガー自体の安定した懸架性を実現させるものである。
【００１０】  即ち、頂角を鋭角から鈍角に変化させ得る該頂点１３を共有する基点とし、該三角形の底辺の両端にある各頂点１１及び１２に至る二辺を各々延長して左右のハンガーアーム８並びに９を構成し、該四辺形の左右対称軸上にある二頂点、１０、と１３、間の距離を制御するハンガーアーム開閉操作レバー４を具備し基本構造と機能を成立させるものである。
【００１１】  又、本発明の衣類ハンガーは、風圧等による衣類の遥動発生に起因し発生するハンガーアーム展開装置の誤動作によるハンガーアームの閉鎖、並びに、風圧等による衣類やハンガー自体の物干竿やロープよりの離脱落下により発生する衣類の汚染事故や障害事故等の防止機能構造を具備させたもので、ハンガーアームの開閉操作レバー４、並びに、ハンガーフックのロック機構３に工夫がなされたものである。
【００１２】  又、図３は、平板状の構造体１６に該四辺形の底辺で形成する二等辺三角形の三頂点１１、１２、及び１３の移動軌跡溝又は溝孔１４及び１５を設け、該三頂点の軸が該溝、又は、溝孔内を摺動するガイド機構構造とし、該ハンガーアームの接続点１３が摺動するガイド溝、又は、溝孔１５の延長上にハンガーフック１を装着する事によっても前述の機能を満足させる事が出来る。
【００１３】  本発明の衣類ハンガー構造の事例を、図１、図２、図３に示す。
【００１４】  図１、及び、図２、は請求項１、請求項２、請求項３、請求項４、請求項５、並びに、請求項６述べる機構構造を持つ衣類ハンガーのハンガーアーム展開時、並びに、同ハンガーアーム閉鎖時の全体図を示し、図３は、請求項７に述べる機構構造で構成する衣類ハンガーのハンガーアーム展開時の全体図を示すものであり機能と操作方法等は、図１、並びに、図２に示す機構構造の衣類ハンガーと異なるものではない。
【００１５】  以下、図１、図２と、図３、に示す衣類ハンガーの操作及び各部分の機能に付き説明する。但し、図１と図３は同一機能状態にあり図３の説明は省略する。
【００１６】  図２に示す、閉鎖したハンガーアーム８と９を、衣類の襟首口より胴部内に挿入し、左右のハンガーアーム８及び９を衣類の両肩線に沿って両手で水平に持ち上げ展開させる事により該衣類の襟首部内にて、ハンガーアーム８，９の展開に伴いハンガーアーム８と９の交点１３が引き下げられ、蝶番１３に連結し保持機構５に支持されたレバー４が蝶番１０に沿って下方に移動し蝶番１０がレバー４の凹部分に嵌まり込み、ハンガーアームの展伸が完了する。
【００１７】  又、上記レバー４が蝶番１３の移動に伴って引き下げられる事により、ハンガーフック１、同２の部分とレバー４に設けたストッパー３の間に、衣類を装着した当ハンガーを懸架する、物干竿、並びに、ロープが通過するに足るギャップが準備される。
【００１８】  該衣類の装着と設定の完了後、物干竿を選択する場合はハンガーフック１の部分、ロープを選択する場合は２の部分を選択しハンガーを懸架する。
【００１９】  衣類の取込み時に於いては、ハンガーアームを衣類の上から保持し、物干竿、又は、ロープよりハンガーフックを取り外し、ハンガーフック開放部を上方に向く様に傾斜させる事により、ハンガーアームの展開固定ロック機構４の自動解除と、衣類内でのハンガーアームの自動収束が行われ、ハンガーフック部を手で持ち上げる事により、乾燥した衣類をハンガーアームより自然離脱させる利便性と省力化機能を感受できる。
【００２０】  洗濯物を装着したハンガーの物干竿やロープへの設置完了後、風圧等による洗濯物の揺動や吹き上がりの発生時には、ハンガーアーム展開保持フック４が自動解除され、レバー４がハンガーフックに懸かる衣類の重量によって上方に移動し、物干竿の場合は、ハンガーフック１とレバー４の先端に設けたストッパー３、又、ロープの場合は、ハンガーフック２と同ストッパー３に依り物干竿、或いは、ロープを挟持しハンガーフックの脱落を防止すると共に、ハンガーアーム８及び９自体の閉鎖をも阻止し、洗濯物のハンガーアームからの離脱を完全に阻止する機能を具備している。
【図面の簡単な説明】
【００２１】
【図１】ハンガーアーム展開時の全体構造平面図
【図２】ハンガーアーム閉鎖時の全体構造平面図
【図３】機構構造を異とするハンガーアーム展開時の全体構造平面図
【符号の説明】
【００２２】    １  物干竿を対象とするハンガーフック部分
２  ロープを対象とするハンガーフック部分
３  ハンガー脱落防止、並びに、ハンガーアーム閉鎖防止機構
４  ハンガーアーム展開維持フック機構
５  ハンガーアーム開閉レバー保持と解除操作機構
６  ハンガーアーム吊り下げ機構
７  ハンガーアーム吊り下げ機構
８  ハンガーアーム
９  ハンガーアーム
１０  ハンガーアーム吊り下げ機構保持蝶番
１１  ハンガーアーム吊り下げ蝶番
１２  ハンガーアーム吊り下げ蝶番
１３  ハンガーアーム開閉機構接続蝶番
１４  ハンガーアーム吊り下げ蝶番移動溝孔
１５  ハンガーアーム開閉機構接続蝶番移動溝孔
１６  ハンガーアーム開閉カム機能基盤
【図１】
2006247303.tif 000004
【図２】
2006247303.tif 000005
【図３】
2006247303.tif 000006